(57)【特許請求の範囲】
【請求項１】
原稿を走査して画像の読取りを行う画像読取装置に設けられ、所定の第１色と第２色の光が混合した光を放出して前記原稿を照明する照明用発光装置であって、
前記第２色で発光する複数の発光素子が、前記原稿と対向する基板上に主走査方向へ離隔して配列されており、
前記基板上には、前記発光素子からの光が当たると前記第１色と略同一色の光を出すように着色または蛍光体含有がなされた第１塗布部材と、前記発光素子からの光が当たると前記第２色と略同一色の光を出すように着色または蛍光体含有がなされた第２塗布部材とが塗布されており、
前記発光素子から前記第１塗布部材に当たった後に前記原稿へ向かう光と、前記発光素子から前記第２塗布部材に当たった後に前記原稿へ向かう光とが、前記照明の光に含まれるように形成されており、
前記第１および第２塗布部材それぞれの塗布領域は、
前記照明の光に含まれる前記第１色の光と前記第２色の光との割合が、主走査方向において平準化するように設定されていることを特徴とする照明用発光装置。
【請求項２】
前記発光素子は青色ＬＥＤ素子である請求項１に記載の照明用発光装置。
【請求項３】
前記第１色は黄色である請求項２に記載の照明用発光装置。
【請求項４】
前記発光素子は、前記第１色で発光する蛍光体を含有した樹脂で封止されている請求項１から請求項３の何れかに記載の照明用発光装置。
【請求項５】
前記第１塗布部材は、前記第１色で発光する蛍光体を含有する請求項４に記載の照明用発光装置。
【請求項６】
前記第２塗布部材は、前記第１色より短波長の色で発光する蛍光体を含有する請求項４に記載の照明用発光装置。
【請求項７】
前記第１塗布部材は、
前記発光素子から近い位置ほど、塗布の厚さが厚く、もしくは、反射率が高くされている請求項１から請求項４の何れかに記載の照明用発光装置。
【請求項８】
前記第２塗布部材は、
前記発光素子から遠い位置ほど、塗布の厚さが厚く、もしくは、反射率が高くされている請求項１から請求項４の何れかに記載の照明用発光装置。
【請求項９】
前記発光素子は周囲が内壁で囲まれており、
前記内壁のうち前記発光素子と副走査方向の両側に対向する位置を含む部分には、前記第１塗布部材が塗布されている請求項１から請求項４の何れかに記載の照明用発光装置。
【請求項１０】
前記発光素子は周囲が内壁で囲まれており、
前記内壁のうち前記発光素子と主走査方向の両側に対向する位置を含む部分には、前記第２塗布部材が塗布されている請求項１から請求項４の何れかに記載の照明用発光装置。
【請求項１１】
前記第１塗布部材が塗布された領域は、前記発光素子に対する副走査方向の両側の領域であり、
前記第２塗布部材が塗布された領域は、前記第１塗布部材が塗布された領域に対する主走査方向の両側の領域である請求項１から請求項４の何れかに記載の照明用発光装置。
【請求項１２】
前記第１塗布部材が塗布された領域は、前記発光素子に対する副走査方向の両側の領域および周囲の領域であり、
前記第２塗布部材が塗布された領域は、前記第１塗布部材が塗布された領域に対する周囲の領域である請求項１から請求項４の何れかに記載の照明用発光装置。
【請求項１３】
請求項１から請求項１２の何れかに記載の照明用発光装置を有し、
原稿を走査して画像の読取りを行う際に、前記照明用発光装置が前記原稿を照明することを特徴とする画像読取装置。
【発明の詳細な説明】
【技術分野】
【０００１】
本発明は、照明用発光装置および画像読取装置に関するものである。
【背景技術】
【０００２】
従来、原稿の画像を走査して読取る画像読取装置においては、原稿を照明するための照明用発光装置が用いられている。照明用発光装置としては、例えば、白色ＬＥＤが主走査方向へ配列されたＬＥＤアレイが挙げられる。
【０００３】
また、このような白色ＬＥＤとしては、青色ＬＥＤ素子を黄色蛍光体含有樹脂で封止したものが挙げられる。この場合、青色ＬＥＤが放出する青色光と、青色光により励起された黄色蛍光体が発生させる黄色光とが混合し、これらの混合色である白色の光が照明光として得られる。
【０００４】
画像読取装置における原稿照明にこのようなＬＥＤアレイが用いられる場合、一般的に照明の効率を上げるため、画像読取位置に正対する角度でＬＥＤアレイが配置される（図２等を参照）。しかし、主走査方向において青色ＬＥＤ素子と正対する領域の照明光は、青色ＬＥＤ素子から直接放出される青色光が強く、黄色蛍光体による黄色光の割合が低くなる。一方で、青色ＬＥＤ素子に正対する位置から遠方の領域においては、青色ＬＥＤ素子から直接放出される青色光が弱くなり、黄色蛍光体による黄色光の割合が高くなる。
【０００５】
この結果、読取り画像の主走査方向において、青色ＬＥＤ素子に正対する領域の画像は青くなり、隣り合う青色ＬＥＤ素子間の領域の画像は黄色くなるという色むらが発生する。一般的な画像読取装置において行われるシェーディング補正により、ＬＥＤアレイの照明による色むらは軽減されるが、シェーディング用の補正板と原稿用紙における反射率と散乱率に差があるため、読取り画像の色むらを除去することはできない。色むらの無い読取り画像を得るためには、ＬＥＤアレイの照明むら自体を軽減することが重要となる。
【０００６】
このようなＬＥＤ照明における色むらを軽減するために、青色ＬＥＤ素子と黄色蛍光体から放出された２色の光の割合を拡散板などの光学部材を用いて平準化させる方法、或いは黄色蛍光体含有樹脂の青色ＬＥＤ素子直上部、およびその近傍の領域において黄色蛍光体濃度を高濃度にする方法が提案されている。
【先行技術文献】
【特許文献】
【０００７】
【特許文献１】特開２０１３−０６９７５７号公報
【特許文献２】特開２００７−０３５８０２号公報
【特許文献３】特開２００６−２６１５４０号公報
【特許文献４】特開２００７−３３５７９８号公報
【発明の概要】
【発明が解決しようとする課題】
【０００８】
しかしながら、上記のＬＥＤアレイを画像読取装置の光源として使用する場合、拡散板などの光学部材で光むらを平準化させる手段を適用すると、放出光が散乱するため照明の照度が低下し、かつ光学部材の追加により製造価格が増大する。また、黄色蛍光体含有樹脂の濃度を変える手段を適用する場合は、一旦黄色蛍光体含有樹脂で青色ＬＥＤ素子を封止した後、更に高濃度黄色蛍光体含有樹脂で封止しなければならないため、樹脂成型の製造方法が複雑になり、かつ製造時間が長くなるために製造価格が増大する。
【０００９】
本発明は上述した問題に鑑み、照度低下や製造価格増大を抑えながらも、色むらの少ない読取り画像を得ることが可能となる照明用発光装置、およびこれを備えた画像読取装置の提供を目的とする。
【課題を解決するための手段】
【００１０】
本発明に係る照明用発光装置は、原稿を走査して画像の読取りを行う画像読取装置に設けられ、所定の第１色と第２色の光が混合した光を放出して前記原稿を照明する照明用発光装置であって、前記第２色で発光する複数の発光素子が、前記原稿と対向する基板上に主走査方向へ離隔して配列されており、前記基板上には、前記発光素子からの光が当たると前記第１色と略同一色の光を出すように着色または蛍光体含有がなされた第１塗布部材と、前記発光素子からの光が当たると前記第２色と略同一色の光を出すように着色または蛍光体含有がなされた第２塗布部材とが塗布されており、前記発光素子から前記第１塗布部材に当たった後に前記原稿へ向かう光と、前記発光素子から前記第２塗布部材に当たった後に前記原稿へ向かう光とが、前記照明の光に含まれるように形成されており、前記第１および第２塗布部材それぞれの塗布領域は、前記照明の光に含まれる前記第１色の光と前記第２色の光との割合が、主走査方向において平準化するように設定されている構成とする。
【００１１】
本構成によれば、照度低下や製造価格増大を抑えながらも、色むらの少ない読取り画像を得ることが可能となる。なお、ここでの原稿は原稿用紙に限られず、画像読取りの対象となり得るものを広く含む概念である。また、本願での主走査方向や副走査方向は、画像読取装置が画像の読取りを行う際の走査に関する方向である。
【００１２】
また、上記構成としてより具体的には、前記発光素子は青色ＬＥＤ素子である構成としてもよく、前記第１色は黄色である構成としてもよい。また、上記構成において、前記発光素子は、前記第１色で発光する蛍光体を含有した樹脂で封止されている構成としてもよい。また、当該構成としてより具体的には、前記第１塗布部材は、前記第１色で発光する蛍光体を含有する構成としてもよく、前記第２塗布部材は、前記第１色より短波長の色で発光する蛍光体を含有する構成としてもよい。
【００１３】
また、上記構成としてより具体的には、前記第１塗布部材は、前記発光素子から近い位置ほど、塗布の厚さが厚く、もしくは、反射率が高くされている構成としてもよい。また、上記構成としてより具体的には、前記第２塗布部材は、前記発光素子から遠い位置ほど、塗布の厚さが厚く、もしくは、反射率が高くされている構成としてもよい。
【００１４】
また、上記構成としてより具体的には、前記発光素子は周囲が内壁で囲まれており、前記内壁のうち前記発光素子と副走査方向の両側に対向する位置を含む部分には、前記第１塗布部材が塗布されている構成としてもよい。
【００１５】
また、上記構成としてより具体的には、前記発光素子は周囲が内壁で囲まれており、前記内壁のうち前記発光素子と主走査方向の両側に対向する位置を含む部分には、前記第２塗布部材が塗布されている構成としてもよい。
【００１６】
また、上記構成としてより具体的には、前記第１塗布部材が塗布された領域は、前記発光素子に対する副走査方向の両側の領域であり、前記第２塗布部材が塗布された領域は、前記第１塗布部材が塗布された領域に対する主走査方向の両側の領域である構成としてもよい。
【００１７】
また、上記構成としてより具体的には、前記第１塗布部材が塗布された領域は、前記発光素子に対する副走査方向の両側の領域および周囲の領域であり、前記第２塗布部材が塗布された領域は、前記第１塗布部材が塗布された領域に対する周囲の領域である構成としてもよい。
【００１８】
また、本発明に係る画像読取装置は、上記の何れかの構成の照明用発光装置を有し、原稿を走査して画像の読取りを行う際に、前記照明用発光装置が前記原稿を照明する構成とする。
【発明の効果】
【００１９】
本発明に係る照明用発光装置によれば、照度低下や製造価格増大を抑えながらも、色むらの少ない読取り画像を得ることが可能となる。また、本発明に係る画像読取装置によれば、本発明に係る照明用発光装置の利点を享受することが可能となる。
【図面の簡単な説明】
【００２０】
【図１】本実施形態に係る画像読取装置４を備えた複写機の外観図である。
【図２】画像読取装置４の概略的な外観斜視図である。
【図３】主走査方向を視点とする画像読取装置４の概略的な断面図である。
【図４】比較例に係るＬＥＤアレイの構成図である。
【図５】比較例に係るＬＥＤアレイの一部についての説明図である。
【図６】実施例１に係るＬＥＤアレイについての説明図である。
【図７】実施例２に係るＬＥＤアレイについての説明図である。
【図８】実施例３に係るＬＥＤアレイについての説明図である。
【図９】実施例４に係るＬＥＤアレイについての説明図である。
【図１０】実施例５に係るＬＥＤアレイについての説明図である。
【図１１】実施例６に係るＬＥＤアレイについての説明図である。
【発明を実施するための形態】
【００２１】
本発明の実施形態について、各図面を参照しながら以下に説明する。但し本発明の内容は、当該実施形態に何ら限定されるものではない。
【００２２】
［複写機の構成概略等］
図１は、本実施形態に係る画像読取装置を備えた複写機の外観図である。本図に示すように当該複写機は、原稿トレイ１、操作パネル２、自動原稿送り装置３、画像読取装置４、プリンター部５、排紙トレイ６、および給紙トレイ７を備えている。
【００２３】
当該複写機の動作の一例として、原稿トレイ１にセットされた原稿用紙の画像を他の用紙へコピーする場合の動作を挙げ、簡単に説明する。ユーザが操作パネル２を操作してコピーの指示を与えると、自動原稿送り装置３によってこの原稿用紙が画像読取装置４へ送られる。画像読取装置４は、送られてきた原稿用紙を走査して画像の読取りを行い、読取り画像の情報をプリンター部５へ送出する。プリンター部５は、給紙トレイ７から供給される用紙に読取り画像をプリントし、プリント済みの用紙を排紙トレイ６から排出する。このようにして、原稿用紙の画像が他の用紙にコピーされる。
【００２４】
図２は、画像読取装置４の概略的な外観斜視図であり、図３は、主走査方向を視点とする画像読取装置４の概略的な断面図である。これらの図に示すように、画像読取装置４は、ＬＥＤアレイ４１（照明用発光装置の一形態）、原稿台ガラス４２、画像読取窓４３、折り返しミラー４５、レンズ４６、およびラインセンサー４７を有している。
【００２５】
ＬＥＤアレイ４１は、原稿用紙に対向するように配置されたプリント基板４１ａの表面上に、複数の白色ＬＥＤ４１ｂが主走査方向へ離隔して配列されている。ＬＥＤアレイ４１は、画像読取装置４が原稿用紙を走査する際に、原稿用紙を照明する役割を果たす。
【００２６】
原稿台ガラス４２は、原稿用紙を直接載せることが可能である。ＬＥＤアレイ４１や主走査方向に配置したラインセンサー４７等を搭載したユニットを、副走査方向に走査させることで、原稿用紙からの画像読取りが適切に行われる。なお、画像読取窓４３は、自動原稿送り装置３が使用される際に、画像読取り用の窓として用いられる。
【００２７】
ＬＥＤアレイ４１から出た照明光は、原稿用紙に当たって反射した後、折り返しミラー４５によって進行方向が変えられ、レンズ４６を介してラインセンサー４７へ入射する。このようにして、原稿用紙の画像が読取られることになる。
【００２８】
［照明の色むらについて］
ここで、ＬＥＤアレイ４１の照明における色むらについて説明する。まず当該色むらが生じる要因等をより明らかにするべく、ＬＥＤアレイ４１として一般的な構成例のもの（「比較例」とする）が採用された場合を想定する。
【００２９】
図４は、比較例に係るＬＥＤアレイ４１の構成図（プリント基板４１ａの表面と向かい合うように見た図）である。本図に示すように当該ＬＥＤアレイ４１は、主走査方向へ伸びた形状のプリント基板４１ａの表面上に、複数の白色ＬＥＤ４１ｂが主走査方向へ離隔して配列された形態となっている。
【００３０】
図５は、比較例に係るＬＥＤアレイ４１の一部（隣り合う二個の白色ＬＥＤ４１ｂを含む部分）についての説明図である。図５の下段は、図４と同じ視点から見た当該一部の構成図であり、中段は、中心線Ｌで切断した場合の中央断面図である。
【００３１】
図５に示すように、白色ＬＥＤ４１ｂにおいては、プリント基板４１ａ上にダイレクトボンディングされた青色ＬＥＤ素子４１ｅ（青色ＬＥＤチップ）が、黄色に発光する蛍光体を含有した樹脂４１ｃ（黄色蛍光体含有樹脂）で封止されており、更にその周囲がケース４１ｄで囲まれている。
【００３２】
青色ＬＥＤ素子４１ｅが発光すると、当該樹脂４１ｃにおける光の直進や拡散等を伴い、白色ＬＥＤ４１ｂから上方（原稿用紙方向）へ光が放出される。この過程において、青色ＬＥＤ素子４１ｅからの青色光により黄色蛍光体が励起し、黄色光も発生する。これにより青色光と黄色光が合わさり、白色光として上方へ放出される。
【００３３】
上方へ放出される光には、青色ＬＥＤ素子４１ｅからプリント基板４１ａに当たらずに上方へ放出される光（便宜的に「直接光」と称す）と、青色ＬＥＤ素子４１ｅから出た光がプリント基板４１ａに当たり、そこから反射等によって上方へ放出される光（便宜的に「間接光」と称す）とが含まれる。青色ＬＥＤ素子４１ｅの直上近傍では、図５中段に実線矢印で示すような直接光の影響が強くなる。
【００３４】
直接光の影響は、青色ＬＥＤ素子４１ｅの直上近傍で最も強くなり、そこから遠ざかるにつれて弱くなる。そのため青色ＬＥＤ素子４１ｅの直上近傍の範囲（図５上段に示す範囲Ｘ）では、蛍光体が励起されて生じる黄色光よりも青色光の割合が高くなり、照明光が青色寄りの色となってしまう。
【００３５】
逆に、青色ＬＥＤ素子４１ｅの直上から遠い範囲（図５上段に示す範囲Ｙ）では、青色光よりも蛍光体が励起されて生じる黄色光の割合が高くなり、照明光が黄色寄りの色となってしまう。そのため従来例では、白色ＬＥＤ４１ｂによる照明光には、図５上段のグラフで例示するように、主走査方向の色むらが生じる。
【００３６】
そこで本実施形態では、上述した間接光を利用して、照明の色むらを低減させるようにした。以下、この点について詳細に説明する。
【００３７】
主走査方向に見た場合に、プリント基板４１ａ上の青色ＬＥＤ素子４１ｅと重複する領域（図５に示す領域Ａ０）で生じた間接光は、先述した範囲Ｘの照明光に強い影響を及ぼす。一方、プリント基板４１ａ上の青色ＬＥＤ素子４１ｅから遠い領域（図５に示す領域Ａ１）で生じた間接光は、先述した範囲Ｙの照明光に強い影響を及ぼす。
【００３８】
なお、領域Ａ０とＡ１の間の領域（図５に示す領域Ａ２）で生じた間接光は、これらの中間的な影響を及ぼすことになる。間接光は、青色ＬＥＤ素子４１ｅから出た光がプリント基板４１ａで反射して生じる他、蛍光体を含む塗布部材が塗布されている場合には、この蛍光体が励起して発光することによっても生じる。
【００３９】
上記の原理から、領域Ａ０或いはその近傍の領域において、黄色（或いはこれと略同一の色）の光を出すように着色または蛍光体含有がなされた第１塗布部材を塗布すると、範囲Ｘ或いはその近傍での照明光において、黄色の光の割合が増加する。これにより照明の色を黄色側に補正して、白色へ近づけることが可能である。
【００４０】
また、領域Ａ１或いはその近傍の領域において、青色（或いはこれと略同一の色）の光を出すように着色または蛍光体含有がなされた第２塗布部材を塗布すると、範囲Ｙ或いはその近傍での照明光において、青色の光の割合が増加する。これにより照明の色を青色側に補正して、白色へ近づけることが可能である。
【００４１】
本実施形態ではこれらのことを利用して、少なくとも各塗布部材（Ｐ１、Ｐ２）が塗布されていない状態に比べて、照明光に含まれる黄色の光と青色の光との割合が主走査方向において平準化するようにしている。その結果、白色ＬＥＤ４１ｂによる照明光の色むらが低減するようになっている。
【００４２】
なお、白色ＬＥＤ４１ｂの最適な形態（特に、第１塗布部材や第２塗布部材を塗布するのに最適な領域）は、白色ＬＥＤ４１ｂ同士の間隔や、青色ＬＥＤ素子４１ｅおよび樹脂４１ｃの特性などの各種要因によって変わる。そのため、第１塗布部材や第２塗布部材を塗布するのに最適な領域は、このような各種要因をも考慮して、出来るだけ照明光の色むらが低減するように設定されることが望ましい。
【００４３】
以下、本実施形態に係る白色ＬＥＤ４１ｂの幾つかの具体例を、実施例１〜実施例６として説明する。なお、ＬＥＤアレイ４１において、複数の白色ＬＥＤ４１ｂが主走査方向へ離隔して配列されている点は、従来例の場合と同様である。
【００４４】
［各実施例について］
まず実施例１について説明する。図６は、実施例１に係る白色ＬＥＤ４１ｂの構成図である。なお、本図の下側には、主走査方向に伸びる中央線Ｌ１で切断した場合の中央断面図を示し、本図の右側には、副走査方向に伸びる中央線Ｌ２で切断した場合の中央断面図を示している。
【００４５】
実施例１では、第１塗布部材Ｐ１として高濃度黄色蛍光体含有樹脂を、第２塗布部材Ｐ２として青色インクを、それぞれ図６に示すように塗布している。第１塗布材料Ｐ１は、青色ＬＥＤ素子４１ｅに対し副走査方向の両側に塗布され、第２塗布部材Ｐ２は、青色ＬＥＤ素子４１ｅと第１塗布部材Ｐ１を塗布した領域に対して主走査方向の両側に塗布されている。
【００４６】
青色ＬＥＤ素子４１ｅの副走査方向の両側の領域から放出する光の黄色光の割合を増やすことで、主走査方向における青色ＬＥＤ素子４１ｅに正対する画素の照明に対し、黄色光の割合を増やすことが可能となる。また、プリント基板４１ａ表面に塗布した青色インクにより、主走査方向における隣り合う白色ＬＥＤ４１ｂの間の画素の照明に対して、黄色光の割合を減らすことが可能となる。これらの効果をもって原稿用紙への照明光の色むらを低減し、色むらの少ない読取り画像データを得ることが可能となる。
【００４７】
なお、第１塗布部材Ｐ１として、高濃度黄色蛍光体含有樹脂の代わりに黄色インクを塗布しても良いし、第２塗布部材Ｐ２として、青色インクの代わりに青色蛍光体含有樹脂を塗布しても良い。青色ＬＥＤ素子４１ｅを黄色蛍光体含有の樹脂４１ｃで封止しない場合は、第２塗布部材Ｐ２としてＬＥＤ発光色と近似色のインクもしくは近似色の蛍光体含有樹脂を使用しても良いし、第１塗布部材Ｐ１として封止用蛍光体を高濃度に含有した樹脂もしくは近似色のインクを塗布しても良い。
【００４８】
次に、実施例２について説明する。図７は、実施例２に係る白色ＬＥＤ４１ｂの構成図である。なお、実施例２は、実施例１に比べて、基本的にプリント基板４１ａ上における第１塗布部材Ｐ１と第２塗布部材Ｐ２の塗布領域を変更しただけであるため、図７では中央断面図の表示を省略する。
【００４９】
実施例２では、青色ＬＥＤ素子４１ｅの副走査方向の両側だけでなく、青色ＬＥＤ素子４１ｅの周囲にも第１塗布部材Ｐ１を塗布している。そして第１塗布部材Ｐ１を塗布した領域の周囲に、第２塗布部材Ｐ２を塗布している。このような実施例２の形態によれば、主走査方向において青色ＬＥＤ素子４１ｅに正対する画素に対し、実施例１に比べて青色ＬＥＤ素子４１ｅの色の強さを更に弱めることが可能となる。
【００５０】
次に、実施例３について説明する。図８は、実施例３に係る白色ＬＥＤ４１ｂの構成図である。なお、実施例３は、実施例１や実施例２に比べて、基本的にプリント基板４１ａ上における第１塗布部材Ｐ１と第２塗布部材Ｐ２の塗布領域を変更しただけであるため、図８では中央断面図の表示を省略する。
【００５１】
実施例３では、青色ＬＥＤ素子４１ｅの副走査方向の両側の領域のうち、青色ＬＥＤ素子４１ｅから比較的近い領域にだけ第１塗布部材Ｐ１を塗布している。そして第１塗布部材Ｐ１を塗布した領域の周囲に、第２塗布部材Ｐ２を塗布している。このような実施例３の形態によれば、主走査方向において青色ＬＥＤ素子４１ｅに正対する画素に対し、ＬＥＤ発光色を弱める効果を、図５に示す従来例の場合と実施例１の場合との中間的な効果とすることが可能となる。
【００５２】
次に、実施例４について説明する。図９は、実施例４に係る白色ＬＥＤ４１ｂの構成図である。なお、本図の下側には、主走査方向に伸びる中央線Ｌ１で切断した場合の中央断面図を示し、本図の右側には、副走査方向に伸びる中央線Ｌ２で切断した場合の中央断面図を示している。
【００５３】
実施例４では、各塗布部材（Ｐ１、Ｐ２）の塗布領域については実施例１と同様であるが、塗布する第１塗布部材Ｐ１の厚さを変化させることで色の濃度を変化させる。具体的には、第１塗布部材Ｐ１の厚さは、青色ＬＥＤ素子４１ｅの近傍では厚くされ、青色ＬＥＤ素子４１ｅから離れるにつれて薄くされている。これにより、青色ＬＥＤ素子４１ｅの近傍における封止用蛍光体の発光色の割合を高めたまま、青色ＬＥＤ素子４１ｅの遠方における封止用蛍光体の発光色の割合の増加を抑制することが可能となる。
【００５４】
次に、実施例５について説明する。図１０は、実施例５に係る白色ＬＥＤ４１ｂの構成図である。なお、本図の下側には、主走査方向に伸びる中央線Ｌ１で切断した場合の中央断面図を示し、本図の右側には、副走査方向に伸びる中央線Ｌ２で切断した場合の中央断面図を示している。
【００５５】
実施例５では、各塗布部材（Ｐ１、Ｐ２）の塗布領域については実施例１と同様であるが、塗布する第２塗布部材Ｐ２の厚さを変化させることで色の濃度を変化させる。具体的には、第２塗布部材Ｐ２の厚さは、青色ＬＥＤ素子４１ｅの近傍では薄くされ、青色ＬＥＤ素子４１ｅから離れるにつれて厚くされている。これにより、青色ＬＥＤ素子４１ｅの遠方におけるＬＥＤ発光色の割合を高めたまま、青色ＬＥＤ素子４１ｅの近傍におけるＬＥＤ発光色の割合の増加を抑制することが可能となる。
【００５６】
次に、実施例６について説明する。図１１は、実施例５に係る白色ＬＥＤ４１ｂの構成図である。なお、本図の下側には、主走査方向に伸びる中央線Ｌ１で切断した場合の中央断面図を示し、本図の右側には、副走査方向に伸びる中央線Ｌ２で切断した場合の中央断面図を示している。
【００５７】
実施例６では、実施例１と同様に各塗布部材（Ｐ１、Ｐ２）が塗布されているが、これに加えて、ケース４１ｄの内面（封止用の蛍光体含有樹脂４１ｃに隣接する表面）にも各塗布部材（Ｐ１、Ｐ２）を塗布している。より具体的には、プリント基板４１ａ上の第１塗布部材Ｐ１を塗布した領域に隣接するケース４１ｄの内面に、第１塗布部材Ｐ１を塗布し、プリント基板４１ａ上の第２塗布部材Ｐ２を塗布した領域に隣接するケース４１ｄの内面に、第２塗布部材Ｐ２を塗布している。このような実施例６の形態によれば、実施例１の形態における効果を更に増加させることが可能となる。
【００５８】
［その他］
以上に説明した通り、本実施形態のＬＥＤアレイ４１（照明用発光装置）は、原稿を走査して画像の読取りを行う画像読取装置に設けられ、黄色（第１色）と青色（第２色）の光が混合した光を放出して前記原稿を照明する。また、ＬＥＤアレイ４１では、青色で発光する複数の青色ＬＥＤ素子４１ｅ（発光素子）が、前記原稿と対向するプリント基板４１ａ上に主走査方向へ離隔して配列されている。
【００５９】
更にプリント基板４１ａ上には、青色ＬＥＤ素子４１ｅからの光が当たると黄色と略同一色の光を出すように着色または蛍光体含有がなされた第１塗布部材Ｐ１と、青色ＬＥＤ素子４１ｅからの光が当たると青色と略同一色の光を出すように着色または蛍光体含有がなされた第２塗布部材Ｐ２とが塗布されている。また、ＬＥＤアレイ４１は、青色ＬＥＤ素子４１ｅから第１塗布部材Ｐ１に当たった後に前記原稿へ向かう光と、青色ＬＥＤ素子４１ｅから第２塗布部材Ｐ２に当たった後に前記原稿へ向かう光とが、照明の光に含まれるように形成されている。
【００６０】
更に、第１塗布部材Ｐ１および第２塗布部材Ｐ２それぞれの塗布領域は、照明の光に含まれる黄色の光と青色の光との割合が、主走査方向において平準化するように設定されている。そのためＬＥＤアレイ４１によれば、拡散板などの光学部材で光むらを平準化させる手段や、黄色蛍光体含有樹脂の濃度を変える手段などを必要とせず、照度低下や製造価格増大を抑えながらも、色むらの少ない読取り画像を得ることが可能となっている。
【００６１】
また、青色ＬＥＤ素子４１ｅは、黄色で発光する蛍光体を含有した樹脂４１ｃで封止されている。なお、第１塗布部材Ｐ１は、黄色で発光する蛍光体を含有するようにしても良く、第２塗布部材Ｐ２は、黄色より短波長の色（特に青色或いはこれとほぼ同等の色）で発光する蛍光体を含有するようにしても良い。
【００６２】
また、実施例４における第１塗布部材Ｐ１は、青色ＬＥＤ素子４１ｅから近い位置ほど、塗布の厚さが厚くされている。なお、塗布の厚さが厚くされる代わりに、反射率が高くされていても良く、この場合にも実施例４の場合に準じた効果が得られる。また、実施例５における第２塗布部材Ｐ２は、青色ＬＥＤ素子４１ｅから遠い位置ほど、塗布の厚さが厚くされている。なお、ここでも、塗布の厚さが厚くされる代わりに、反射率が高くされていても良く、この場合にも実施例５の場合に準じた効果が得られる。
【００６３】
また、各実施例において、青色ＬＥＤ素子４１ｅはこれを封止する樹脂４１ｃごと、周囲がケース４１ｄの内壁で囲まれている。そして実施例６では、この内壁のうち、青色ＬＥＤ素子４１ｅと副走査方向の両側に対向する位置を含む部分には、第１塗布部材Ｐ１が塗布されており、青色ＬＥＤ素子４１ｅと主走査方向の両側に対向する位置を含む部分には、第２塗布部材Ｐ２が塗布されている。
【００６４】
また、実施例１において、第１塗布部材Ｐ１が塗布された領域は、青色ＬＥＤ素子４１ｅに対する副走査方向の両側の領域であり、第２塗布部材Ｐ２が塗布された領域は、第１塗布部材Ｐ１が塗布された領域に対する主走査方向の両側の領域である。また、実施例２において、第１塗布部材Ｐ１が塗布された領域は、青色ＬＥＤ素子４１ｅに対する副走査方向の両側の領域および周囲の領域であり、第２塗布部材Ｐ２が塗布された領域は、第１塗布部材Ｐ１が塗布された領域に対する周囲の領域である。
【００６５】
以上、本発明の実施形態について具体例を挙げて説明したが、本発明はその内容に限定されるものではない。本発明はその趣旨を逸脱しない範囲において、様々な具体的形態により実施され得る。
【産業上の利用可能性】
【００６６】
本発明は、画像読取装置を備える複写機などに利用可能である。
【符号の説明】
【００６７】
１        原稿トレイ
２        操作パネル
３        自動原稿送り装置
４        画像読取装置
５        プリンター部
６        排紙トレイ
７        給紙トレイ
４１      ＬＥＤアレイ（照明用発光装置）
４１ａ    プリント基板
４１ｂ    白色ＬＥＤ
４１ｃ    樹脂（黄色蛍光体含有樹脂）
４１ｄ    ケース
４１ｅ    青色ＬＥＤ素子
４２      原稿台ガラス
４３      画像読取窓
４５      折り返しミラー
４６      レンズ
４７      ラインセンサー
Ｐ１      第１塗布部材
Ｐ２      第２塗布部材
【図１】
0006398556.tif 000002
【図２】
0006398556.tif 000003
【図３】
0006398556.tif 000004
【図４】
0006398556.tif 000005
【図５】
0006398556.tif 000006
【図６】
0006398556.tif 000007
【図７】
0006398556.tif 000008
【図８】
0006398556.tif 000009
【図９】
0006398556.tif 000010
【図１０】
0006398556.tif 000011
【図１１】
0006398556.tif 000012